(57)【要約】【課題】  海水等の浄化対象液から順浸透膜を用いて浄水を得る方法において、浄化対象液から水の移動によって希釈された希釈誘導溶液から水を分離した後の溶液を安定して誘導溶液に再生し、再利用できる方法と装置を提供する。【解決手段】  上記課題は、溶媒が水である液体と、所定量のアンモニアと二酸化炭素を水に溶解した誘導溶液とを半透膜を介して接触させ、前記液体中の水を前記半透膜を通して前記誘導溶液に移動させる浸透工程と、前記工程で得られる、水で希釈された希釈誘導溶液を所定の温度に調整した後、蒸留塔に送入し、塔頂部から二酸化炭素、アンモニア、水蒸気からなるガスを得るとともに、塔底部から浄水を得る蒸留工程と、前記ガスを冷却し、前記誘導溶液を再生する冷却再生工程とを有する浄水製造方法と装置によって解決される。【選択図】  図１
2013094714.tif 000002
【特許請求の範囲】
【請求項１】
溶媒が水である液体と、所定量のアンモニアと二酸化炭素を水に溶解した誘導溶液とを半透膜を介して接触させ、前記液体中の水を前記半透膜を通して前記誘導溶液に移動させる浸透工程と、前記工程で得られる、水で希釈された希釈誘導溶液を所定の温度に調整した後、蒸留塔に送入し、塔頂部から二酸化炭素、アンモニア、水蒸気からなるガスを得るとともに、塔底部から浄水を得る蒸留工程と、前記ガスを冷却することにより前記誘導溶液を再生する冷却再生工程とを有する浄水製造方法。
【請求項２】
蒸留塔に送入する前記希釈誘導溶液の温度を、前記ガスと熱交換することにより調整することを特徴とする請求項１に記載の浄水製造方法。
【請求項３】
蒸留塔に送入する前記希釈誘導溶液の温度を、さらに前記浄水と熱交換することにより調整することを特徴とする請求項２に記載の浄水製造方法。
【請求項４】
前記半透膜が、水を選択的に透過する順浸透膜であることを特徴とする請求項１乃至請求項３のいずれか１項に記載の浄水製造方法。
【請求項５】
前記液体が海水であることを特徴とする請求項１乃至請求項４のいずれか１項に記載の浄水製造方法。
【請求項６】
前記誘導溶液が流通する配管に、定期的に希釈誘導溶液を通水する、あるいは、該誘導溶液の流量を瞬間的に増大することを特徴とする請求項１乃至請求項５のいずれか１項に記載の浄水製造方法。
【請求項７】
溶媒が水である液体と、所定量のアンモニアと二酸化炭素を水に溶解した誘導溶液とを半透膜を介して接触させ、前記液体中の水を前記半透膜を通して前記誘導溶液に移動させる浸透手段と、前記手段で得られる、水で希釈された希釈誘導溶液全量を所定の温度に調整する希釈誘導溶液温度調整手段と、前記温度調整手段で所定の温度に調整された希釈誘導溶液を蒸留する蒸留塔と、前記蒸留塔の塔頂部から得られる二酸化炭素、アンモニア、水蒸気からなるガスを冷却し、誘導溶液を再生する冷却再生手段と、前記蒸留塔の塔底部から得られる二酸化炭素とアンモニアをほとんど含まない浄水の回収手段とを有する浄水製造装置。
【請求項８】
前記希釈誘導溶液温度調整手段が、前記希釈誘導溶液と前記塔頂ガスとの熱交換器であることを特徴とする請求項７に記載の浄水製造装置。
【請求項９】
前記希釈誘導溶液温度調整手段が、さらに、前記希釈誘導溶液と前記浄水との熱交換器も有することを特徴とする請求項８に記載の浄水製造装置。
【請求項１０】
前記半透膜が、水を選択的に透過する順浸透膜であることを特徴とする請求項７乃至請求項９のいずれか１項に記載の浄水製造装置。
【請求項１１】
前記液体が海水であることを特徴とする請求項７乃至請求項１０のいずれか１項に記載の浄水製造装置。
【請求項１２】
前記冷却再生手段の出口配管に希釈誘導溶液を通水するための希釈誘導溶液通水手段を設けたことを特徴とする（７）乃至（１１）のいずれか１項に記載の浄水製造装置。
【発明の詳細な説明】
【技術分野】
【０００１】
この発明は、例えば海水を半透膜を用いて浄化し、浄水を製造する方法と装置に関するものである。
【背景技術】
【０００２】
海水を半透膜を用いて浄化する方法は種々知られているが、海水に浸透圧以上の圧力を加えて水を強制的に透過させる逆浸透法が主に開発されてきた。この方法は高圧に加圧する必要があるため、設備費および運転費にコストがかかるという問題点がある。一方、半透膜を介して海水より高濃度の塩溶液を存在させれば、加圧せずとも浸透圧で水をこの塩溶液に移動させることができる。そして、この塩溶液として揮発性ガスを溶解させた溶液を用いれば、この塩溶液を蒸留することにより揮発性ガスを蒸発、分離させて浄水を得ることができる。この方法として、揮発性ガスとしてアンモニアと二酸化炭素の組合せを用いた方法が既に開発されている（特許文献１，２）。
【０００３】
特許文献１の方法は、半透膜を介して海水と反対側にアンモニアと二酸化炭素を溶解して得られる塩溶液を流して、海水中の水を半透膜を通過させて該塩溶液に移動させ、得られた希釈塩溶液を蒸留塔に送って水を得るとともにアンモニアと二酸化炭素と水を含む混合ガスを分離し、この混合ガスを半透膜の元の部屋に返送する方法である。
【０００４】
特許文献２の方法は、半透膜を介して海水と反対側にアンモニアと二酸化炭素を溶解して得られる塩溶液を流して、海水中の水を半透膜を通過させて該塩溶液に移動させ、得られた希釈塩溶液をイオン交換膜や蒸留塔等を用いてアンモニウムイオンと炭酸イオンを個別に分離して浄水を得、分離したアンモニウムイオンと炭酸イオンを溶解して半透膜の元の部屋に戻す方法である。
【先行技術文献】
【特許文献】
【０００５】
【特許文献１】米国特許出願公開第２００５／０１４５５６８Ａ１号明細書
【特許文献２】特開２０１１−８３６６３号公報
【発明の概要】
【発明が解決しようとする課題】
【０００６】
特許文献１にあるように、薄まった炭酸アンモニウムを含む水溶液の全量と、蒸留塔から分離して出てきた二酸化炭素、アンモニア、水からなるガスの全量とを混合することは、蒸留塔に入る水を取り出すための炭酸アンモニウムを含む水溶液中の、二酸化炭素とアンモニアの濃度が上昇することにつながり、これらの濃度が上昇すると水を取り出すためのエネルギーがより多く必要になる。
【０００７】
また、特許文献２にあるように、薄まった炭酸アンモニウムを含む水溶液の一部を、ガス状に分離したものと混合する（図４）ことは、薄まった炭酸アンモニウムを含む水溶液の全量を蒸留することで多くの水を取り出せるのに対して水の取り出し量が減り、かつ、その水溶液の一部を循環させる動力が掛かり、またその水溶液の一部を循環させるための配管が必要となり、構造が複雑になる。
【０００８】
そのため、薄まった炭酸アンモニウムを含む水溶液を全量蒸留塔に送入し、蒸留に必要なエネルギーを削減し、また、より多くの水を取り出すとともに、動力や配管を削減して構造を簡易にすることが必要であった。
【０００９】
この発明は上記のような問題点を解決するためになされたもので、薄まった炭酸アンモニウムを含む水溶液から蒸留、分離された、二酸化炭素、アンモニア、水からなるガスをそのまま冷却することにより水溶液状態にし、再利用することを目的とする。
【課題を解決するための手段】
【００１０】
本発明は、上記課題を解決するべくなされたものであり、下記の方法と装置を提供するものである。
（１）溶媒が水である液体と、所定量のアンモニアと二酸化炭素を水に溶解した誘導溶液とを半透膜を介して接触させ、前記液体中の水を前記半透膜を通して誘導溶液に移動させる浸透工程と、前記工程で得られる、水で希釈された希釈誘導溶液を所定の温度に調整した後、蒸留塔に送入し、塔頂部から二酸化炭素、アンモニア、水蒸気からなるガスを得るとともに、塔底部から浄水を得る蒸留工程と、前記ガスを冷却し、前記誘導溶液を再生する冷却再生工程とを有する浄水製造方法。
（２）蒸留塔に送入する前記希釈誘導溶液の温度を、前記ガスと熱交換することにより調整することを特徴とする（１）に記載の浄水製造方法。
（３）蒸留塔に送入する前記希釈誘導溶液の温度を、さらに前記浄水と熱交換することにより調整することを特徴とする（２）に記載の浄水製造方法。
（４）前記半透膜が、水を選択的に透過する順浸透膜であることを特徴とする（１）乃至（３）いずれか１項に記載の浄水製造方法。
（５）前記液体が海水であることを特徴とする（１）乃至（４）のいずれか１項に記載の浄水製造方法。
（６）前記誘導溶液が流通する配管に、定期的に希釈誘導溶液を通水する、あるいは、該誘導溶液の流量を瞬間的に増大することを特徴とする（１）乃至（５）のいずれか１項に記載の浄水製造方法。
（７）溶媒が水である液体と、所定量のアンモニアと二酸化炭素を水に溶解した誘導溶液とを半透膜を介して接触させ、前記液体中の水を前記半透膜を通して前記誘導溶液に移動させる浸透手段と、前記手段で得られる、水で希釈された希釈誘導溶液全量を所定の温度に調整する希釈誘導溶液温度調整手段と、前記温度調整手段で所定の温度に調整された希釈誘導溶液を蒸留する蒸留塔と、前記蒸留等の塔頂部から得られる二酸化炭素、アンモニア、水蒸気からなるガスを冷却し、誘導溶液を再生する冷却再生手段と、前記蒸留塔の塔底部から得られる二酸化炭素とアンモニアをほとんど含まない浄水の回収手段とを有する浄水製造装置。
（８）前記希釈誘導溶液温度調整手段が、前記希釈誘導液と前記塔頂ガスとの熱交換器であることを特徴とする（７）に記載の浄水製造装置。
（９）前記希釈誘導溶液温度調整手段が、さらに、前記希釈誘導溶液と前記浄水との熱交換器も有することを特徴とする（８）に記載の浄水製造装置。
（１０）前記半透膜が、水を選択的に透過する順浸透膜であることを特徴とする（７）乃至（９）のいずれか１項に記載の浄水製造装置。
（１１）前記液体が海水であることを特徴とする（７）乃至（１０）のいずれか１項に記載の浄水製造装置。
（１２）前記冷却再生手段の出口配管に希釈誘導溶液を通水するための希釈誘導溶液通水手段を設けたことを特徴とする（７）乃至（１１）のいずれか１項に記載の浄水製造装置。
【発明の効果】
【００１１】
本発明により、希釈誘導溶液から蒸留、分離された、二酸化炭素、アンモニア、水からなるガスをそのまま冷却することにより水溶液状態にし、誘導溶液を再生、再利用することにより、蒸留に必要なエネルギーを削減し、また、より多くの水を取り出すとともに、動力や配管を削減して構造を簡易にすることが可能となった。
【図面の簡単な説明】
【００１２】
【図１】本発明の装置の構成の一例を示すブロック図である。
【図２】本発明の装置の構成の一例を示すブロック図である。
【図３】従来の装置の構成の一例を示すブロック図である。
【図４】従来の別の装置の構成の一例を示すブロック図である。
【発明を実施するための形態】
【００１３】
本発明で浄水を得るのに使用される液体（浄化対象液）は溶媒が水であればよいが、例示すれば、海水、湖沼水、河川水、工場廃水などである。
【００１４】
浸透工程
浸透工程は、浄化対象液と誘導溶液とを半透膜を介して接触させ、浄化対象液中の水をこの半透膜を通して誘導溶液に移動させる工程である。
【００１５】
この誘導溶液は、所定量のアンモニアと二酸化炭素を水に溶解して生成する炭酸アンモニウム水溶液である。所定量とは、浄化対象液中の水を半透膜を通過させて誘導溶液まで移動させることができる濃度にする量であり、浄化対象液の塩濃度である。濃度の上限は、アンモニアと二酸化炭素の塩、すなわち、炭酸アンモニウム、炭酸水素アンモニウム、アンモニウムカルバメート等が半透膜面や、蒸留塔内で析出しないように定められ、これは実験で求めることができる。半透膜面や蒸留塔内に析出物が生じたか否かの確認方法の一つとして長時間運転をして安定稼動可能かどうかで判断する方法がある。アンモニアと二酸化炭素のモル比は１．５〜３程度である。このモル比も半透膜面や蒸留塔内でアンモニアと二酸化炭素の塩が析出しないよう配慮する。
【００１６】
半透膜は水を選択的に透過できるものがよく、市販のもの、特に順浸透膜を好ましく使用できる。材質は特に制限されないが、例示すれば、酢酸セルロース系、ポリアミド系、ポリエチレンイミン系、ポリスルホン系、ポリベンゾイミダゾール系のものなどを挙げることができる。半透膜の形態も特に制限されず、平膜、管状膜、中空系などいずれであってもよい。
【００１７】
浄化対象液と誘導溶液を半透膜を介して接触させることにより、その塩濃度差で水は誘導溶液側に移動する。
【００１８】
蒸留工程
蒸留工程は、前記浸透工程で水の移動によって希釈された希釈誘導溶液を所定の温度に調整した後、蒸留塔に送入し、塔頂部から二酸化炭素、アンモニア、水蒸気からなるガスを得るとともに、塔底部からは浄水を得る工程である。
【００１９】
希釈誘導溶液に対して調整を行う所定の温度とはアンモニアと二酸化炭素の塩が析出しない温度であり、これは実験によって求めることができる。この温度調整は、通常は加熱によって行われる。この加温は、蒸留塔の塔頂から排出される前記ガスと熱交換してその温度を利用して行うことができ、あるいは、蒸留塔の塔底から排出される浄水と熱交換してその温度を利用することもできる。その両者を併用することもでき、あるいは別の熱源を利用することもできる。
【００２０】
温度調整を行った希釈誘導溶液は、蒸留塔に入れて蒸留を行い、アンモニアと二酸化炭素を分離する。
【００２１】
蒸留によって、蒸留塔の塔頂部からは二酸化炭素、アンモニア、水蒸気からなるガスを得、塔底部からは浄水を得る。一方、塔底部から取り出される浄水は、二酸化炭素の含有量は１０ppm程度以下、アンモニアの含有量は１０ppm程度以下で、蒸留条件等によって、これらを１ppm以下にした浄水も得られる。
【００２２】
冷却再生工程
冷却再生工程は、蒸留塔の塔頂部から取り出される二酸化炭素、アンモニア、水蒸気からなるガスを冷却し、誘導溶液を再生する工程である。
再生した誘導溶液は半透膜へ送って循環使用する。
【００２３】
なお、本発明においては、高濃度の誘導溶液を使用するので、塩の析出による配管の詰まりが生ずる可能性があり、これを防止するために、定期的にこの循環ラインに希釈誘導溶液を通水する、あるいは、誘導溶液の流量を瞬間的に増大することが好ましい。
【００２４】
上記の浄水製造方法は、溶媒が水である液体と、所定量のアンモニアと二酸化炭素を水に溶解した誘導溶液とを半透膜を介して接触させ、前記液体中の水を前記半透膜を通して前記誘導溶液に移動させる浸透手段と、前記手段で得られる、水で希釈された希釈誘導溶液全量を所定の温度に調整する希釈誘導溶液温度調整手段と、前記温度調整手段で所定の温度に調整された希釈誘導溶液を蒸留する蒸留塔と、前記蒸留塔の塔頂部から得られる二酸化炭素、アンモニア、水蒸気からなるガスを冷却し、誘導溶液を再生する冷却再生手段と、前記蒸留塔の塔底部から得られる二酸化炭素とアンモニアをほとんど含まない浄水の回収手段とを有する浄水製造装置を用いて実施される。
【００２５】
浸透手段
浸透手段は、浄化対象液と誘導溶液とを半透膜を介して接触させ、浄化対象液中の水をこの半透膜を通して誘導溶液に移動させる手段であり、半透膜装置を用いる。
【００２６】
半透膜装置に用いる半透膜は前述したとおりである。この半透膜を装着する装置は通常は円筒形あるいは箱形の容器内に半透膜を設置して、この半透膜で仕切られた一方の室に浄化対象液を流し、他方の室に誘導溶液を流せるものであり、公知の半透膜装置を用いることができ、市販品を用いることができる。
【００２７】
浄化対象液を流す室の入口は浄化対象液溜（これは海や河川そのものであってもよく、タンク等であってもよい。）に配管接続される。出口側は通常は浄化対象液溜に配管接続される。両配管を結ぶ循環ラインを設けて、浄化対象液を循環させることもできる。
【００２８】
誘導溶液を流す室の入口は冷却再生手段に配管接続され、出口は希釈誘導溶液温度調節手段に配管接続され、これによって誘導溶液の循環ラインが形成される。
【００２９】
なお、本発明においては、高濃度の誘導溶液を使用するので、塩の析出による配管の詰まりが生ずる可能性があり、これを防止するために、冷却再生手段の出口配管に希釈誘導溶液を通水するための希釈誘導溶液通水手段を設けることが好ましい。
【００３０】
希釈誘導溶液温度調節手段
希釈誘導溶液温度調節手段は、半透膜装置で浄化対象液から水を抽出して希釈された誘導溶液を所定の温度に調整する手段であり、これは加熱によって行われる。加熱手段は問わないが、系内で発生する熱を有効利用する点で熱交換器を用いるのがよい。熱源としては蒸留塔の塔頂部から得られるガスや塔底部から得られる浄水などの熱を利用することができる。
【００３１】
希釈誘導溶液温度調節手段は、蒸留塔に配管接続される。
【００３２】
蒸留塔
蒸留塔は公知のものを用いればよく、棚段方式、充填方式等いずれのものであってもよい。蒸留塔下部には加熱器を設け、下部の浄水を熱することにより発生する蒸気を上部から落下してくる希釈誘導溶液と接触させて熱交換させる。加熱器にはリボイラーや熱交換等を用いることができる。加熱器の熱源は問わないが、発電所のタービンから出てくる復水前の蒸気や、排熱から回収される熱水などを用いることができる。熱源の温度が１００℃以上の場合には常圧で蒸留を行えるが、それより低い場合は減圧する必要がある。
【００３３】
冷却再生手段
蒸留塔の塔頂から、希釈誘導溶液温度調節手段を経由して塔頂ガス冷却再生手段に配管接続し、塔頂部から得られる二酸化炭素、アンモニア、水蒸気からなるガスを冷却して水溶液状態にする。冷却手段は問わないが、熱交換器を用いることができる。冷却する熱源としては、特に限定されないが、河川水、海水、空気などを用いることができる。
【実施例】
【００３４】
以下の実施例と比較例では、Invensys System社の化学工学シミュレーター  PRO／II  ver9.0.1  と、PRO／IIのモジュールの一つで、炭酸アンモニウムの固体の析出を模擬できる  Electrolytes  を用いて数値計算を行なった。
（実施例１）
誘導溶液には、アンモニアを８．５ｍｏｌ／Ｌ、二酸化炭素を５．６ｍｏｌ／Ｌを含有するものを用いた。残りは全て水であり、アンモニアと二酸化炭素のモル比は１．５である。
【００３５】
半透膜装置の誘導溶液入口の流入量は２００ｋｇ／ｈｒとした。浄化対象液には、海水を模擬した塩化ナトリウム水溶液を用いた。半透膜を模擬した分離装置を通過して誘導溶液に移動した水の量は１，０００ｋｇ／ｈｒであり、誘導溶液で出口から流出する希釈誘導溶液の量は１，２００ｋｇ／ｈｒであり、温度は２８℃であった。
【００３６】
この希釈誘導溶液を蒸留塔の塔頂部から出てくるガスと熱交換して３８℃まで加熱し、蒸留塔上部１段目に送入した。
【００３７】
蒸留塔は３０段の棚段方式のものであり、最下段の３０段目にリボイラーがある。この３０段目の温度を４６℃に、そして蒸留塔内の圧力を１０ｋＰａＡ（Ａは絶対圧を表す。）の減圧状態に設定した。
【００３８】
この状態で蒸留塔の塔底部から出てくる浄水に含まれる二酸化炭素とアンモニアの濃度は１ｐｐｍ以下であった。
【００３９】
蒸留塔の塔頂部から出てくるガスは、温度が３９℃でモル分率が水０．６８、二酸化炭素０．１３、アンモニア０．１９であった。
【００４０】
このガスを半透膜を模擬した分離装置から出てくる希釈誘導溶液と熱交換し、さらに２５℃の海水と熱交換して２９℃まで冷却し、水溶液状態にして半透膜を模擬した分離装置に返送した。
（実施例２）
誘導溶液には、アンモニアを6．9ｍｏｌ／Ｌ、二酸化炭素を3．１ｍｏｌ／Ｌを含有するものを用いた。残りは全て水であり、アンモニアと二酸化炭素のモル比は２．２である。蒸留塔内の圧力は５９ｋＰａＡである。
【００４１】
半透膜を模擬した分離装置の誘導溶液入口の流入量は０．４２ｋｇ／ｈｒとした。浄化対象液には、海水を模擬した塩化ナトリウム水溶液を用いた。半透膜を模擬した分離装置を通過して誘導溶液に移動した水の量は２．５２ｋｇ／ｈｒであり、誘導溶液出口から流出する希釈誘導溶液の量は２．９４ｋｇ／ｈｒであり、温度は２９℃であった。
【００４２】
この希釈誘導溶液を蒸留塔の塔頂部から出てくるガスと熱交換して５９℃まで加熱し、蒸留塔上部１段目に送入した。
【００４３】
蒸留塔の塔頂部から出てくるガスは、温度が８０℃でモル分率が水０．７８０、二酸化炭素０．０６８、アンモニア０．１５２であった。
【００４４】
このガスを半透膜を模擬した分離装置から出てくる希釈誘導溶液と熱交換し、さらに２５℃の海水と熱交換して６０℃まで冷却し、水溶液状態にして半透膜を模擬した分離装置に返送した。
（実施例３）
誘導溶液には、アンモニアを６．８ｍｏｌ／Ｌ、二酸化炭素を４．０ｍｏｌ／Ｌを含有するものを用いた。残りは全て水であり、アンモニアと二酸化炭素のモル比は１．７である。蒸留塔内の圧力は大気圧である。
【００４５】
半透膜を模擬した分離装置の誘導溶液入口の流入量は２５０ｋｇ／ｈｒとした。浄化対象液には、海水を模擬した塩化ナトリウム水溶液を用いた。半透膜を模擬した分離装置を通過して誘導溶液に移動した水の量は１０００ｋｇ／ｈｒであり、誘導溶液出口から流出する希釈誘導溶液の量は１２５０ｋｇ／ｈｒであり、温度は４０℃であった。
【００４６】
この希釈誘導溶液を蒸留塔の塔頂部から出てくるガスと熱交換して９２℃まで加熱し、蒸留塔上部１段目に送入した。
【００４７】
この時の塔下部にあるリボイラーの加熱量は２７０ＭＪ／ｈｒであり、塔下部からの淡水量は１０００ｋｇ／ｈｒである。
【００４８】
蒸留塔の塔頂部から出てくるガスは、温度が９３℃でモル分率が水０．７５５、二酸化炭素０．０９１、アンモニア０．１５４であった。
【００４９】
このガスを半透膜を模擬した分離装置から出てくる希釈誘導溶液と熱交換し、さらに２５℃の海水と熱交換して６２℃以下まで冷却し、水溶液状態にして半透膜を模擬した分離装置に返送した。
(比較例１)
実施例３とエネルギー比較を実施する。
【００５０】
本比較例でのフローは図３にある装置構成である。水溶液とガスを混合する容器内の誘導溶液は、アンモニア４．３ｍｏｌ／Ｌ、二酸化炭素２．５ｍｏｌ／Ｌを含有するものであり、残りは水である。蒸留塔内の圧力は大気圧である。
【００５１】
半透膜を通過して誘導溶液に移動する水の量を１０００ｋｇ／ｈｒとするための半透膜を模擬した分離装置の誘導溶液入口の流入量は６３０ｋｇ／ｈｒであった。
【００５２】
合計１６３０ｋｇ／ｈｒの希釈された誘導溶液が、水溶液とガスを混合する容器内に返送される。
【００５３】
一方、水溶液とガスを混合する容器内から導出された誘導溶液を蒸留塔の塔頂部から出てくるガスと熱交換して８５℃まで加熱し、蒸留塔上部１段目に送入した。
【００５４】
塔下部からの浄水量が１０００ｋｇ／ｈｒとなるための、リボイラー部の入熱量は４３０ＭＪ／ｈｒであった。
【００５５】
蒸留塔の塔頂部から出てくるガスは、温度が８６℃でモル分率が水０．５５６、二酸化炭素０．１６４、アンモニア０．２７９であった。このガスは、水溶液とガスを混合する容器内に返送される。
【００５６】
表１に、１０００ｋｇ／ｈｒの浄水を製造するために必要なリボイラー部の入熱量を示す。従来と比較して４０％程度リボイラー部での必要熱量を削減できている。
【００５７】
【表１】
2013094714.tif 000003
また、表２に半透膜に流通させる誘導溶液の量を示す。同じ量の水を半透膜を介して誘導させるのに必要な誘導溶液の量を５０％以上削減できるため、ポンプの動力を大幅に削減可能である。
【００５８】
【表２】
2013094714.tif 000004
【産業上の利用可能性】
【００５９】
本発明により、海水等の浄化対象液から安定して確実に浄水を得ることができるので、本発明は海水等から浄水を得る方法と装置に広く適用できる。
【符号の説明】
【００６０】
１    容器
２    海水
３    濃縮された海水
４    半透膜
５    半透膜を通過して移動する水
６    誘導溶液
７    希釈誘導溶液
８    水溶液とガスを混合する容器
９    混合された二酸化炭素とアンモニアを含む水溶液
１０  蒸留塔の塔頂部から出てくる二酸化炭素、アンモニア、水からなるガス
１１  蒸留塔
１２  浄水
２０  熱交換器
２１  熱交換器
２２  ポンプ
【図１】
2013094714.tif 000005
【図２】
2013094714.tif 000006
【図３】
2013094714.tif 000007
【図４】
2013094714.tif 000008